(57)【要約】【課題】本を傷つけることがなく、本を開いて閲覧可能な状態に保持でき、さらには安価で嵩張らない、ページ押さえクリップを提供する。【解決手段】本の表紙、裏表紙および背表紙を支持する本支え部（８）と、開いたページ側を押さえるページ押さえ部（１２）とから構成する。本支え部（８）表面にはクッション部材（６）を貼り、ページ押さえ部（１２）は透明な材料から構成する。ページ押さえ部（１２）の裏面は、両端部から中央に向かって凹状に湾曲したページ押さえ面（２１）となっている。本支え部（８）とページ押さえ部（１２）は、互いに近接するようにバネ付勢されている。【選択図】図１
0003138113.tif 000002
【実用新案登録請求の範囲】
【請求項１】
本を任意のページで開いたまま、閲覧可能な状態に保持するページ押さえクリップであって、
本の表紙、裏表紙および背表紙側を支持する本支え部と、本の開いた両ページ側を押さえるページ押さえ部とを有し、
前記本支え部の、前記ページ押さえ部と対向した面にはクッション部材が設けられ、
前記ページ押さえ部の、前記クッション部材と対向した面は両端部から中央に向かって凹状に湾曲していると共に、透明な材料から構成され、
任意のページに開かれた本は、バネ付勢された前記本支え部のクッション部材と、同様にバネ付勢された前記ページ押さえ部のページ押さえ面とにより、開いた状態に保持されることを特徴とするページ押さえクリップ。
【請求項２】
前記ページ押さえ部は、アクリル樹脂からなることを特徴とする、請求項１に記載のページ押さえクリップ。
【請求項３】
前記クッション部材は、発泡ポリウレタンからなることを特徴とする、請求項１または２に記載のページ押さえクリップ。
【考案の詳細な説明】
【技術分野】
【０００１】
本考案は、本を任意のページに開いたまま閲覧可能な状態に保持することができる、ページ押さえクリップに関するものである。
【背景技術】
【０００２】
勉強、研究、執筆等においては、資料として本を閲覧することが多い。このようなときは、机上で１冊または複数冊の本を、所定のページに開いて閲覧可能な状態にしておくと作業効率は高くなる。また、教本に従って料理や手芸等の両手を使用する作業を行う場合においても、手で押さえなくても教本の所定のページが閲覧可能な状態に開かれていることが望ましい。ところで、ページ数の多い厚手の本、各ページが比較的弾力性のある厚手の紙からなる本等は、机上で所定のページを開いていても、手を離すと閉じてしまうことがある。また、意図しない異なるページが開かれてしうこともある。このような本を、所定のページに開いて保持するためには、開かれたページに重しとなる文鎮を載せたり、ページを強く押し広げて本に開き癖を付けることが行われている。また、従来周知の書見台が利用されることもある。
【０００３】
上記した従来の方法によっても、一応は所定のページを開いた状態に保持することはできる。しかしながら、問題点も多い。例えば、開かれたページに文鎮を載せる方法によると、文鎮を載せる位置によっては、文鎮がページから滑り落ちて本が閉じてしまうことがある。一方、滑り落ちないような位置に文鎮を載せると、印刷された文字が文鎮で覆われてしまい、閲覧の妨げになることがある。また、ページを強く押し広げて本に開き癖を付ける方法では、本を痛める恐れがあり、借用した本や、貴重で高価な本には適用できない。また、格別に厚い本等には開き癖は付け難く、ページを開いた状態に保持することができない場合もある。これに対し、従来周知の書見台によると、本の厚さに比較的影響を受けずに、任意のページに開いて本を保持することができ、読書には適しているといえる。しかしながら、従来の書見台は、比較的大型であり、携帯して持ち運ぶには不便である。また、複数冊以上の本を同時に資料として机上で開きながら、勉強、研究、または執筆等を行う場合、複数の書見台によって机上が占有されてしまい、作業に支障を来たす。さらには、従来の書見台は互いに重ねることができないので、開いたままの本を重ね、一時的に机にスペースを作ることもできない。また、書見台は比較的高価で、複数台を購入すると出費が嵩むという問題もある。
【０００４】
そこで、比較的安価で、所定のページに開いた状態に保持できるページ押さえクリップが、例えば特許文献１により提案されている。
【０００５】
【特許文献１】特開２００２−１０３８５０号公報
【０００６】
特許文献１に記載されているページ押さえクリップ５１は、図６の（ア）に模式的に示されているように、開いたページを押さえる上側部品５２と、本の背表紙を載せる下側部品５３とから構成されている。上側部品５２は、中央部がわずかに折り曲げられて下方に突き出た断面形状がＶ字状を呈するページ押さえ部５４と、操作部５５と、ページ押さえ部５４と操作部５５をつないでいる胴部５６とから構成されている。下側部品５３は、本の背表紙が載せられる背表紙受け部５７と、背表紙受け部５７の先端に固着され、横方向に十分な幅と所定高さを有する板状の脚すなわち垂下片５８と、操作部５９と、背表紙受け部５７と操作部５９をつないでいる胴部６０とから構成されている。そして、上側部品５２と下側部品５３は、それぞれの胴部５６、６０に設けられている、軸支部６１、６１、６２、６２に１本の軸が貫通されて、回転自在に軸着されている。また、軸にはコイルバネも巻き付けられており、ページ押さえ部５４が背表紙受け部５７に当接されるように付勢されている。なお、軸およびコイルバネは図に示されてはいない。
【０００７】
このようなページ押さえクリップ５１の操作部５５、５９を２本の指で挟むように押さえると、コイルバネの付勢に抗してページ押さえ部５４と背表紙受け部５７とが離間する。したがって、所定のページに開いた本６３の背表紙を背表紙受け部５７に載せて、開いたページをページ押さえ部５４で押さえるようにして、操作部５５、５９から指を離すと、コイルバネに付勢されたページ押さえ部５４と背表紙受け部５７が、ページを開いた状態の本６３を挟んで、図６の（イ）に示されているように、本６３を保持することができる。
【考案の開示】
【考案が解決しようとする課題】
【０００８】
特許文献１に記載のページ押さえクリップ５１によっても、一応は任意のページを開いた状態で保持できることはできる。また、構造がシンプルで、安価に製造できる効果も認められる。しかしながら、欠点あるいは問題点もある。例えば、背表紙受け部５７の幅が固定的で、背表紙が幅広のときは、背表紙が背表紙受け部５７に収まらずに背表紙を傷つけてしまう恐れがある。また、図６の（イ）に示されているように、本６３の表紙および裏表紙は、垂下片５８の角６４、６４において点で接するようになっているので、表紙および背表紙を傷つけることもある。
【０００９】
さらには、ページ押さえ部５４は、紙面の中心部の近傍に印刷された文字を隠くしてしまうので、口幅Ｈ'を広く選定することができない。隠さないように、ページ押さえ部５４の口幅Ｈ’を狭くすると、本を開いた状態に保持する力が弱くなるので、各ページが弾力性のある厚手の紙からなる本等に適用すると、図６の（ウ）に示されているように、ページ押さえ部５４で押さえられていない他方６５は閉じてしまい、本６３を均等に開いた状態で保持できない。また、ページ押さえ部５４の口幅Ｈ’が狭いときには、開かれたページを押さえる面積が小さくなるので、紙面を傷つける恐れもある。
【００１０】
板状の垂下片５８は脚の作用を奏し、この垂下片５８により開かれた本は閲覧者の方向に傾けられるので、本を読みやすくする効果は認められる。しかしながら、ページ押さえクリップ５１で開いた本を、他のページ押さえクリップ５１で開いた他の本の上に一時的に重ねて机にスペースを作る場合、垂下片５８が妨げとなって本を重ねることが難しいという問題もある。
【００１１】
本考案は、上記したような従来の問題点に鑑みてなされたものであって、比較的小型で使用時に机を占有することもなく、携帯性に優れて、構造がシンプルで安価でありながら、本の厚さや紙の質にかかわらず、本を任意のページで開いて閲覧可能な状態に保持できる、ページ押さえクリップを提供することを目的としている。また、本を傷つけることもなく、さらに開いたページに印刷された文字の読みに支障を来すようなこともなく、開いた本どうしを互いに重ねることも可能な、ページ押さえクリップを提供することも目的としている。
【課題を解決するための手段】
【００１２】
本考案は、上記目的を達成するために、ページ押さえクリップは、本の表紙、裏表紙および背表紙側を支持する本支え部と、開いたページ側を押さえるページ押さえ部とを有し、本支え部にはクッション部材が設けられ、ページ押さえ部は透明な材料から構成される。
【００１３】
すなわち、請求項１に記載の考案は、本を任意のページで開いたまま、閲覧可能な状態に保持するページ押さえクリップであって、本の表紙、裏表紙および背表紙側を支持する本支え部と、本の開いた両ページ側を押さえるページ押さえ部とを有し、前記本支え部の、前記ページ押さえ部と対向した面にはクッション部材が設けられ、前記ページ押さえ部の、前記クッション部材と対向した面は両端部から中央に向かって凹状に湾曲していると共に、透明な材料から構成され、任意のページに開かれた本は、バネ付勢された前記本支え部のクッション部材と、同様にバネ付勢された前記ページ押さえ部のページ押さえ面とにより、開いた状態に保持されるように構成される。請求項２に記載の考案は、請求項１に記載のクリップにおいて前記ページ押さえ部は、アクリル樹脂からなるように、そして請求項３に記載の考案は、請求項１または２に記載のクリップにおいて、前記クッション部材は、発泡ポリウレタンからなるように構成される。
【考案の効果】
【００１４】
以上のように、本考案によると、ページ押さえクリップの、本の表紙、裏表紙および背表紙側を支持する本支え部にはクッション材が設けられているので、頻繁に使用しても、本の表紙、裏表紙、背表紙等を傷めるようなことはない。また、ページ押さえ部は、透明な材料から構成されているので、ページ押さえ部がページに印刷された文字を覆ったとしても、文字を容易に読みとることができ、閲覧に支障を来すようなことはない。さらには、ページ押さえ部を幅広に選定しても閲覧に支障はないので、幅広に構成して比較的開きにくい本であっても、容易に本を開いて保持することができる。また、ページ押さえ部のページ押さえ面は、両端から中央に向かって凹状に湾曲しているので、ページ押さえ面全体を開いたページに面で当接させることができ、印刷面あるいは紙面を傷めるようなこともない。また、構造がシンプルであるので、安価にプラスチックにより成形することができる。また、本考案に係るページ押さえクリップは、構造がシンプルで比較的小型に構成でき、嵩張らないので、開いた本どうしを容易に重ねることも可能である。他の考案によると、ページ押さえ部は、アクリル樹脂からなるので、射出成形等によって容易に成形することができる効果がさらに得られ、さらに他の考案によると、クッション部材は発泡ポリウレタンからなるので、安価に製造することができる効果も得られる。
【考案を実施するための最良の形態】
【００１５】
以下、本考案の実施の形態を説明する。本考案の実施の形態に係るページ押さえクリップ１は、図１に模式的に示されているように、概略的には、開いた本の表紙、背表紙等側を支持する下側部品２と、開いたページ側を押さえる上側部品３とから構成されている。
【００１６】
下側部品２は、アクリル樹脂等の合成樹脂から成形されている板状の支持部材５と、発泡ポリウレタンからなるクッション部材６とから構成されている。支持部材５は、平面的に見て略Ｔ字形を呈するように形成されている。すなわち、支持部材５は、Ｔ字の横棒に相当する所定幅の本支え板７と、Ｔ字の縦棒に相当する所定長さの下側胴部１０とから構成さている。本支え板７は略略長方形を呈し、この本支え板７の表面に前記クッション部材６が貼り付けられて本支え部８が構成されている。支持部材５の下側胴部１０の表面には、本支え板７から所定の間隔Ｋをおいて２枚の下側連結部１１、１１が横方向に所定の間隔をおいて平行に設けられている。この下側連結部１１、１１を利用して、上側部品３と下側部品２とが回動自在に連結されることになる。
【００１７】
上側部品３も、下側部品２と同様に略Ｔ字状を呈するように、アクリル樹脂等の透明な合成樹脂から成形されている。すなわち、Ｔ字の横棒に相当する所定幅のページ押さえ部１２と、Ｔ字の縦棒に相当する所定長さの上側胴部１４とから略Ｔ字状を呈するように成形されている。このページ押さえ部１２と上側胴部１４は、上記した本支え板７と下側胴部１０とにそれぞれ対応している。上側胴部１２の裏面には、ページ押さえ部１２から、所定の間隔Ｋをおいて２枚の上側連結部１５、１５が横方向に所定の間隔をおいて平行に設けられている。この上側連結部１５、１５と、前述した下側連結部１１、１１とにより、下側部品２と上側部品３とが回動自在に連結されることになる。上側胴部１４の先端部近傍の表面には、横方向に複数本の溝からなる滑り止め１６が形成されている。下側部品２の下側胴部１０の表面にも同様な滑り止めが成形されているが、図１には示されていない。
【００１８】
このように成形あるいは形成されている上側部品３のページ押さえ部１２の、図１のＡ−Ａ’における断面が図２の（ア）に示されている。同図に示されているように、ページ押さえ部１２のページ押さえ面２１は、中央部２２に向かって両端から緩やかに凹状に湾曲している。そして、中央部近傍で下側に向かって楔状に突出している。一方、ページ押さえ部１２の表面２３は、中央部近傍で平面状を呈している。従って、ページ押さえ部１２は、全体的にほぼ一定の肉厚に成形されて、中央部近傍のみが肉厚となっている。これにより、開いた本のページを傷つけることなく、ページ押さえ面２１の略全面を開いた紙面に当接させることができることになる。
【００１９】
このような上側部品３と下側部品２は、図１に示されているように、上側連結部１５、１５と、下側連結部１１、１１に設けられた貫通孔にピン１７が挿入されて、ピン１７を中心に回動自在に軸着されている。そして、ピン１７には、図には示されていないが、コイルバネが取り付けられている。これにより、ページ押さえ部１２のページ押さえ面２１と、クッション部材６の上面は互いに近接する方向に付勢されている。
【００２０】
次に、本考案の実施の形態の作用について説明する。図３に示されているように、本３１を所定のページに開いておく。ページ押さえクリップ１の上側部品３と下側部品２の滑り止め１６、１６に、親指と人差し指を当てて互いに近接するように押す。そうすると、コイルバネの付勢に抗して、ページ押さえ部１２のページ押さえ面２１と、クッション部材６の表面は互いに離間する。そこで、所定のページに開かれている本３１に、離間したページ押さえ面２１とクッション部材６を装着する。そうして、親指と人差し指を放す。そうすると、本３１の表紙３２、裏表紙３３および背表紙３４はクッション部材６に載った形で、開かれた左右のページ面３５、３５’はページ押さえ面２１により押さえられた形で、所定のページが開かれた状態で保持される。このような状態が図３に示されている。
【００２１】
本実施の形態によると、クッション部材６は十分に柔らかく、適切に窪んで本３１の背表紙３４を包み込むので、表紙３２，裏表紙３３，背表紙３４を傷つけるようなことはない。また、ページ押さえ部１２は、透明な部材から構成されているので、ページ押さえ部１２がページ面３５、３５’に印刷された文字等を覆っていても、容易に読むことができる。さらには、ページ押さえ部１２が、文字を覆っていても読めるので、口幅Ｈを広く選定でき、本３１を開いた状態で良好に保持できる。
【００２２】
図４には、本３１のページ面３５、３５’が開かれている状態が示されている。比較的開き易い本のときは、ページ面３５、３５’の下部近傍あるいは上部近傍３６をページ押さえ部１２で押さえるだけで、本３１を開いた状態で保持できる。しかし、各ページが弾力性のある厚手の紙からなるような、比較的開き難い本の場合は、ページ面３５、３５’の上方よりやや下方よりの部分を押さえる必要がある。本考案の実施の形態に係るページ押さえクリップ１は、ページ押さえ部１２と上側連結部１５、１５とは所定の間隔Ｋだけ離間しているので、中央部近傍３７をページ押さえ部１４で押さえることが可能であり、比較的開き難い本であっても、開いた状態で容易に保持できる。
【００２３】
本実施の形態に係るページ押さえクリップ１は、色々な変形が可能である。例えば、ページ押さえ部１２のページ押さえ面２１は、両端から中央部近傍に向かって緩やかに凹状に湾曲していさえすれば良く、図２の（イ）に示されているように、ページ押さえ面２１の中央部２４は平面状に形成されていてもよい。このように実施すると、ページ押さえ面２１の中央部２４が、開かれたページ３５、３５’の閉じ部を押し広げるような力が作用しなくなる。これにより、本を傷つける度合いが小さくなる。また、図２の（イ）に示されているように、表面２３は全体的に平面状に形成されていてもよい。このように実施すると、ページ押さえ部１２の肉厚が、両端に向かって自然に薄くなってページ押さえ部１２に生じる応力が一部に集中することが避けられ、より強度が得られる効果が期待できる。
【００２４】
また、上記実施の形態では、上側部品３と下側部品２は別体になっているが、図５に示されているように、１個の部品として一体的に成形することも可能である。当業者には、図５からこのように成形されたページ押さえクリップ１’の形状、構造が容易に理解されるので、同じあるいは同じような構成部材には同じ参照番号にダッシュ「’」を付して重複説明はしない。本実施の形態によると、ページ押さえクリップ１’は、湾曲部４が弾性を有しており、ページ押さえ部１２’とクッション部材６’は互いに近接する方向に付勢されている。従って、本を開いて保持する場合、手でページ押さえ部１２’と本支え板７’を持って押し広げて、開いた本を挟むことになる。
【００２５】
さらには、上記実施の形態では下側部品２の本支え板７に、クッション部材６が貼り付けられるようになっているが、特開平９−７６２９１号公報に示されているように、同一の金型内で硬質材と軟質材の２種の材料を順次に射出して一体として成形することもできる。
【００２６】
本明細書において、本は印刷物である書籍全体を意味する。したがって、雑誌、冊子、写真集等も本に含まれる。
【図面の簡単な説明】
【００２７】
【図１】本考案の実施の形態に係るページ押さえクリップを示す斜視図である。
【図２】本考案の実施の形態に係るページ押さえクリップの要部の断面図で、その（ア）は図１のＡ−Ａ’で切断した断面図、その（イ）は他の実施の形態を示す図で、図１のＡ−Ａ’で切断した図に相当する断面図である。
【図３】本実施の形態に係るページ押さえクリップの使用状態を模式的に示す斜視図である。
【図４】任意のページで開いた状態の本を模式的に示す斜視図である。
【図５】他の実施の形態に係るページ押さえクリップを示す斜視図である。
【図６】従来例を示す図で、その（ア）はページ押さえクリップの上側部品と下側部品を模式的に示す斜視図、その（イ）はその使用状態を示す側面図、その（ウ）は他の使用状態を示す斜視図である。
【符号の説明】
【００２８】
１    ページ押さえクリップ        ２    下側部品
３    上側部品                    ６    クッション部材
８    本支え部                  １２    ページ押さえ部
２１    ページ押さえ面
【図１】
0003138113.tif 000003
【図２】
0003138113.tif 000004
【図３】
0003138113.tif 000005
【図４】
0003138113.tif 000006
【図５】
0003138113.tif 000007
【図６】
0003138113.tif 000008